(57)【特許請求の範囲】
【請求項１】
庫体に固着される受座と、扉に固着され、前記受座に係合して前記庫体と前記扉とを錠止するラッチ機構と、前記扉の正面側に回動可能に取り付けられ、前記ラッチ機構に作動連結されて、前記受座と前記ラッチ機構との係合を解除するための庫外操作ハンドルと、前記扉の背面に取り付けられ、前記ラッチ機構に作動連結されて、前記受座と前記ラッチ機構との係合を解除するための庫内非常時解錠装置とを備え、庫外及び庫内で前記扉の錠止を解除するようにした扉用ロックハンドル装置において、
前記ラッチ機構は、
前記扉に固着される固定ベースと、前記固定ベースに摺動可能に配設され、前記受座に係脱可能なラッチ部材と、前記固定ベースに配設され、前記ラッチ部材を前記受座に係合可能な位置に押圧付勢するばね部材と、前記固定ベースに回動可能に軸支され、前記庫外操作ハンドル又は前記庫内非常時解錠装置により前記ラッチ部材の前記ばね手段による付勢方向とは反対方向に回動されて、前記ラッチ部材に係合し前記ラッチ部材を前記受座に係合する位置から解除する位置へ移動案内する解除部材と、前記扉の正面側と背面側との間に前記解除部材の回動端側を押圧可能に挿通され、前記庫外操作ハンドルにより押進駆動されて、前記解除部材を前記ラッチ部材の解除方向に向けて回動する押棒とを具備し、前記固定ベースを介して前記扉の背面側に固定され、
前記庫外操作ハンドルはレバー式のハンドルからなり、前記扉の正面側に取付ベースを介して前記扉の正面に対して直角な面内において回動可能に、かつ前記扉の正面側に対して引く方向の回動操作により前記押棒を前記解除部材に向けて押進可能に取り付けられ、
前記庫内非常時解錠装置はレバー式のハンドルからなり、前記扉の背面側に前記固定ベースを介して前記扉の背面に対して直角な面内において回動可能に、かつ前記扉の背面に向けて押す方向の回動操作により前記解除部材を前記ラッチ部材の解除方向に向けて回動可能に取り付けられる、
ことを特徴とする扉用ロックハンドル装置。
【請求項２】
前記解除部材は前記庫内非常時解錠装置のハンドルに一体に形成される請求項１に記載の扉用ロックハンドル装置。
【請求項３】
前記扉に前記押棒が挿通可能な貫通穴が形成され、前記貫通穴はプラスチック材からなる管体で被覆され、前記押棒の周囲に前記管体の内周面を摺動可能なパッキンが取り付けられる請求項１又は２に記載の扉用ロックハンドル装置。
【請求項４】
前記取付ベースに前記庫外操作ハンドルの回動をロックする錠前ユニットを備える請求項１乃至３のいずれかに記載の扉用ロックハンドル装置。
【請求項５】
前記取付ベースの表面にカバーが被着され、前記取付ベースと前記カバーが前記庫外操作ハンドルに隠蔽される部位で固定される請求項１乃至４のいずれかに記載の扉用ロックハンドル装置。
【請求項６】
前記カバーと前記取付ベースと前記庫外操作ハンドルとの間に相互に連通して、南京錠のロック棒が挿通可能なロック穴を備える請求項５に記載の扉用ロックハンドル装置。
【請求項７】
前記庫内非常時解錠装置のハンドルに前記ラッチ部材を前記受座から解除する位置で当該ハンドルの回転を規制するストッパを備える請求項１乃至６のいずれかに記載の扉用ロックハンドル装置。
【請求項８】
前記受座は前記庫体に固定ベースを介してねじにより固着される形式で、前記固定ベースは前記受座との対接面にねじ挿通穴と水平断面略三角形の凹凸形状部とを有し、前記受座は前記固定ベースとの対接面に前記固定ベースのねじ挿通穴に連通可能に水平方向に長いねじ挿通穴と前記固定ベースの凹凸形状部に噛合可能に水平断面略三角形の凹凸形状部とを有し、前記受座が前記固定ベース上で水平方向に位置を調整可能に構成される請求項１乃至７のいずれかに記載の扉用ロックハンドル装置。
【発明の詳細な説明】
【技術分野】
【０００１】
本発明は、ウォークイン型の業務用大型冷凍庫などの扉に使用する扉用ロックハンドル装置に関する。
【背景技術】
【０００２】
一般に、業務用大型冷凍庫などでは、庫内で作業者が作業するため、庫内に作業者が閉じ込められた場合を想定して、庫内から解錠できるように庫内に解錠装置が併設されている。
【０００３】
この種の解錠装置付きの扉用ロックハンドルが特許文献１に記載されている。この文献１のロックハンドルは、庫体のエッジに固着される受座と、扉に固着されるラッチ機構、操作ハンドル、及び解錠装置とを備えて構成される。このロックハンドルの場合、ラッチ機構は扉の正面に固着される固定本体に摺動可能に配設され、受座に係脱可能なラッチ部材と、固定本体に配設され、ラッチ部材を受座に係合させる位置に押圧付勢する圧縮コイルばねと、ラッチ部材をロックするロックレバーと、ロックレバーを解除する解除レバーと、ラッチ部材を受座から解除する位置に駆動する駆動レバーとを備え、庫外の操作ハンドルで解除レバー及び駆動レバーを駆動するようになっている。解錠装置は一端部に手当て用パッド体を有する庫内側押棒からなり、この押棒が扉の背面側から圧縮コイルばねを介して扉の正面側に挿通され、その先端が解除レバー及び駆動レバーに向けて取り付けられ、この押棒の押圧により、ラッチ機構の解除レバー、駆動レバーを押圧駆動するようになっている。このようにして、通常は、庫外の操作ハンドルを回動操作することにより、解除レバー及び駆動レバーが駆動され、これらレバーの駆動によりロックレバーが解除されるとともにラッチ部材が駆動されて、ラッチ部材と受座との係合が解除される。また、作業者が庫内に閉じ込められた場合は、庫内の押棒を押圧することにより、解除レバー及び駆動レバーが駆動されて、ロックレバーが解除されるとともにラッチ部材が駆動され、ラッチ部材と受座との係合が解除される。
【０００４】
【特許文献１】特開２００６−３７６５２公報
【発明の開示】
【発明が解決しようとする課題】
【０００５】
しかしながら、このようなロックハンドルの解錠装置では、庫内で押棒を押し、解除レバー、ロックレバー、及び駆動レバーを介して間接的にラッチ部材を駆動する形式になっているので、押棒の動きをラッチ機構の解除レバー及び駆動レバーに確実に伝達させるために、押棒や各レバーの形状及びその構造に緻密な精度が要求され、製作上、コストが高くなる、という問題がある。また、この解錠装置は、ロックレバー及びその解除レバーや、ラッチ部材を駆動する駆動レバーなど多くの部品で構成され、構造が複雑になるため、この点でも、コストが増大する、という問題がある。さらに、この解錠装置では、押棒を押棒の長さ方向に押す操作形式になっているため、この操作は押棒を叩く動きになりやすく、押棒に対して力を入れにくく、庫内に閉じ込められた不安な状況下では簡易な操作とは言い難い、という問題もある。
【０００６】
本発明は、このような従来の問題を解決するものであり、この種のロックハンドル装置において、少ない部品点数の簡易な構造でラッチ機構を確実に解除できるようにして、製作コストの低減を図ること、併せて庫内でラッチ機構を簡易な操作で解除すること、を目的とする。
【課題を解決するための手段】
【０００７】
上記目的を達成するために、本発明の扉用ロックハンドル装置は、庫体に固着される受座と、扉に固着され、前記受座に係合して前記庫体と前記扉とを錠止するラッチ機構と、前記扉の正面側に回動可能に取り付けられ、前記ラッチ機構に作動連結されて、前記受座と前記ラッチ機構との係合を解除するための庫外操作ハンドルと、前記扉の背面に取り付けられ、前記ラッチ機構に作動連結されて、前記受座と前記ラッチ機構との係合を解除するための庫内非常時解錠装置とを備え、庫外及び庫内で前記扉の錠止を解除するようにした扉用ロックハンドル装置において、前記ラッチ機構は、前記扉に固着される固定ベースと、前記固定ベースに摺動可能に配設され、前記受座に係脱可能なラッチ部材と、前記固定ベースに配設され、前記ラッチ部材を前記受座に係合可能な位置に押圧付勢するばね部材と、前記固定ベースに回動可能に軸支され、前記庫外操作ハンドル又は前記庫内非常時解錠装置により前記ラッチ部材の前記ばね手段による付勢方向とは反対方向に回動されて、前記ラッチ部材に係合し前記ラッチ部材を前記受座に係合する位置から解除する位置へ移動案内する解除部材と、前記扉の正面側と背面側との間に前記解除部材の回動端側を押圧可能に挿通され、前記庫外操作ハンドルにより押進駆動されて、前記解除部材を前記ラッチ部材の解除方向に向けて回動する押棒とを具備し、前記固定ベースを介して前記扉の背面側に固定され、前記庫外操作ハンドルはレバー式のハンドルからなり、前記扉の正面側に取付ベースを介して前記扉の正面に対して直角な面内において回動可能に、かつ前記扉の正面側に対して引く方向の回動操作により前記押棒を前記解除部材に向けて押進可能に取り付けられ、前記庫内非常時解錠装置はレバー式のハンドルからなり、前記扉の背面側に前記固定ベースを介して前記扉の背面に対して直角な面内において回動可能に、かつ前記扉の背面に向けて押す方向の回動操作により前記解除部材を前記ラッチ部材の解除方向に向けて回動可能に取り付けられる、ことを要旨とする。
【０００８】
また、本発明の扉用ロックハンドル装置は各部に次のような構成を備えることが好ましい。
（１）前記解除部材は前記庫内非常時解錠装置のハンドルに一体に形成される。
（２）前記扉に前記押棒が挿通可能な貫通穴が形成され、前記貫通穴はプラスチック材からなる管体で被覆され、前記押棒の周囲に前記管体の内周面を摺動可能なパッキンが取り付けられる。
（３）前記取付ベースに前記庫外操作ハンドルの回動をロックする錠前ユニットを備える。
（４）前記取付ベースの表面にカバーが被着され、前記取付ベースと前記カバーが前記庫外操作ハンドルに隠蔽される部位で固定される。
（５）前記カバーと前記取付ベースと前記庫外操作ハンドルとの間に相互に連通して、南京錠のロック棒が挿通可能なロック穴を備える。
（６）前記庫内非常時解錠装置のハンドルに前記ラッチ部材を前記受座から解除する位置で当該ハンドルの回転を規制するストッパを備える。
（７）前記受座は前記庫体に固定ベースを介してねじにより固着される形式で、前記固定ベースは前記受座との対接面にねじ挿通穴と水平断面略三角形の凹凸形状部とを有し、前記受座は前記固定ベースとの対接面に前記固定ベースのねじ挿通穴に連通可能に水平方向に長いねじ挿通穴と前記固定ベースの凹凸形状部に噛合可能に水平断面略三角形の凹凸形状部とを有し、前記受座が前記固定ベース上で水平方向に位置を調整可能に構成される。
【発明の効果】
【０００９】
本発明の扉用ロックハンドル装置によれば、上記の構成により、通常は、庫外のレバー式のハンドルを引く方向に回動操作することにより押棒を押して解除部材を直接回動し、この解除部材をラッチ部材に係合させてこのラッチ部材を受座から解除する位置に移動するので、ラッチ機構に複雑な部品形状や構造を採ることなしに、ラッチ機構と受座との係合を確実に解除することができ、また、非常時は、庫内でレバー式のハンドルを押す方向に回動操作することにより解除部材を直接駆動するので、ラッチ機構に複雑な部品形状や構造を採ることなしに、ラッチ機構と受座との係合を確実に解除することができる。そして、ラッチ機構を少ない部品点数の簡易な構造で構成できるので、製作コストを大幅に低減することができる。さらに、このハンドル装置の場合、庫内非常時解錠装置がレバー式のハンドルで、扉に向けて押す方向の回動操作を採用しているので、ハンドル操作が容易で、庫内に閉じ込められた場合の不安な状況下でも、ラッチ機構を簡易な操作で確実に解除することができる。
【００１０】
またさらに、このハンドル装置の場合、
（１）解除部材を庫内非常時解錠装置のハンドルと一体に形成することにより、ラッチ機構の部品点数をさらに少なくして、ラッチ機構の構造をさらに簡易にすることができる。また、非常時に、庫内でレバー式のハンドルを押す方向に回動操作することにより、解除部材がこのハンドルと一体に回動して、ラッチ部材を受座から解除する位置に移動するので、ラッチ機構を簡易な操作でより確実に解除することができる。
（２）押棒を挿通する扉の貫通穴をプラスチック材からなる管体で被覆し、押棒の周囲に当該管体の内周面を摺動可能なパッキンを取り付けることにより、この貫通穴を押棒の動作を妨げることなしに気密に塞ぐことができる。これにより、庫外と庫内との間の空気の流れを遮断して、庫内の低温を維持することができ、また、貫通穴に結露の発生を防止することができる。
（３）取付ベースに庫外操作ハンドルの回動をロックする錠前ユニットを備えることにより、扉を閉めた時の操作ハンドルの回動をロックして、扉の閉状態を確実に保持することができる。
（４）取付ベースの表面にカバーを被着し、取付ベースとカバーを庫外操作ハンドルに隠蔽される部位で固定することにより、取付ベースの外部から取付ねじなどの固着部品を見えないようにして、見栄え及び掃除の利便性の向上を図ることができる。
（５）カバーと取付ベースと庫外操作ハンドルとの間に相互に連通して、南京錠のロック棒が挿通可能なロック穴を備えることにより、これらのロック穴に南京錠のロック棒を通し、この南京錠でカバー及び取付ベースと庫外操作ハンドルとを施錠することができ、既述の錠前ユニットに代えて、又はこの錠前ユニットとともに、扉の閉状態を確実に保持することができる。
（６）庫内非常時解錠装置のハンドルにラッチ部材を受座から解除する位置でハンドルの回転を規制するストッパを備えることにより、ハンドルを所定の回動位置で確実に停止させることができ、無駄のない操作性で、扉の錠止を解除することができる。
（７）受座を固定ベースを介してねじにより固着する形式で、固定ベースにねじ挿通穴と水平断面略三角形の凹凸形状部とを設け、受座に水平方向に長いねじ挿通穴と水平断面略三角形の凹凸形状部とを設けることにより、固定ベースの凹凸形状部と受座の凹凸形状部とを適宜の位置で噛合させ、固定ベースのねじ挿通穴に受座の長いねじ挿通穴を合せてねじを締め込むことで、固定ベースに受座を水平方向の位置を調整し、位置決めして固定することができる。これにより、受座を庫体の適正な位置に固着することができる。
【発明を実施するための最良の形態】
【００１１】
以下、本発明の一実施の形態について図を用いて説明する。図１は扉用ロックハンドル装置の底面断面図である。図２は同ハンドル装置の特に受座の分解斜視図であり、図３は同ハンドル装置の特にラッチ機構、庫内非常時解錠装置、及び庫外操作ハンドルの一部分解斜視図である。
【００１２】
図１において、扉用ロックハンドル装置１（以下、単にハンドル装置１という。）は、庫体Ｆに固着される受座２と、扉Ｄに固着され、受座２に係合して庫体Ｆと扉Ｄとを錠止するラッチ機構３と、扉Ｄの正面側に回動可能に取り付けられ、ラッチ機構３に作動連結されて、受座２とラッチ機構３との係合を解除するための庫外操作ハンドル４と、扉Ｄの背面に取り付けられ、ラッチ機構３に作動連結されて、受座２とラッチ機構３との係合を解除するための庫内非常時解錠装置５とを備えて構成される。
【００１３】
図２に示すように、受座２は庫体Ｆに固定ベース２Ｂを介してねじにより固着される形式で、かつ固定ベース２Ｂ上に水平方向（この場合、前後方向）に位置を調整可能に取り付けられる。この場合、固定ベース２Ｂは略矩形の板状に形成され、受座２との対接面の上下にそれぞれ丸穴のねじ挿通穴２２、２２が穿たれ、これら上下のねじ挿通穴２２、２２間に水平断面略三角形の上下に長い凹凸形状部２３が複数並列に形成される。受座２は固定ベース２Ｂよりも前後方向の寸法が少し小さい略矩形の板状に形成され、固定ベース２Ｂとの対接面に固定ベース２Ｂのねじ挿通穴２２、２２に連通可能な水平方向に長い長穴のねじ挿通穴２０、２０が穿たれ、これら上下のねじ挿通穴２０、２０間に固定ベース２Ｂの凹凸形状部２３に噛合可能に水平断面略三角形の上下に長い凹凸形状部（固定ベース２Ｂの凹凸形状部２３を参照）が複数並列に形成される。このようにして受座２と固定ベース２Ｂは、受座２が固定ベース２Ｂ上で前後の位置を調整されながら、相互の凹凸形状部が噛み合わされるとともに、固定ベース２Ｂの丸穴の各ねじ挿通穴２２に受座２の長穴の各ねじ挿通穴２０が合わされて、これらのねじ挿通穴２２、２０にねじが通され、庫体Ｆのエッジに締め付け固定される。
【００１４】
図１及び図３に示すように、ラッチ機構３は、扉Ｄに固着される固定ベース３１と、固定ベース３１に摺動可能に配設され、受座２に係脱可能なラッチ部材３２と、固定ベース３１に配設され、ラッチ部材３２を受座２に係合可能な位置に押圧付勢するばね部材３３と、固定ベース３１に回動可能に軸支され、庫外操作ハンドル４又は庫内非常時解錠装置５によりラッチ部材３のばね部材３３による付勢方向とは反対方向に回動され、ラッチ部材３に係合してラッチ部材３を受座２に係合する位置から解除する位置へ移動案内する解除部材３４と、扉Ｄの正面側と背面側との間に解除部材３４の回動端側を押圧可能に挿通され、庫外操作ハンドル４により押進駆動されて、解除部材３４をラッチ部材３の解除方向に向けて回動する押棒３５とを具備し、固定ベース３１を介して扉Ｄの背面側に固定される。
【００１５】
固定ベース３１は固定部３１１と各部材の取付部３１３とを有する。この場合、固定部３１１は略矩形の平面形状に形成され、上下の前後両端にそれぞれねじ挿通穴３１２が穿たれて、ねじ（図示省略）が通されるようになっている。取付部３１３は固定部３１１の片側一方の面で上下方向中間部に水平方向、この場合、左右方向に延びる、両端部を開口された略箱形形状に形成される。この取付部３１３の内部は、一方の端部側、この場合、（扉Ｄの背面側から見て）右端部側がラッチ部材３２のガイド３１４で、ラッチ部材３２の先端側が摺動可能に断面略口字形に形成され、そして両端部間の略中間に当たる位置に（内部の）一方の側面からストッパ３１５が水平方向に直角に突設される。なお、ラッチ部材３２はこのストッパ３１５の上下を摺動可能である。また、他方の端部側、この場合、（扉Ｄの背面側から見て）左端部は各部材の作動連結部３１６で、右端部側のガイド３１４と比べて前後両側方が拡開されて、ラッチ部材３２の基端側が摺動可能に、さらに解除部材３４が回動可能に形成される。なお、左端部側の内部の前後両側方が右端部側より拡開されることにより、一方の側面（この場合、後部側側面）で両端部間の略中間に当たる位置に段差部３１７（図１参照）が形成され、これがラッチ部材３２のストッパをなす。また、この取付部３１３の場合、固定部３１１の左端部側で、解除部材３４の枢支点（回動中心）よりも少し右端部側の所定の位置に、押棒３５の径よりも少し大きい穴３１８が穿たれて、この穴３１８に押棒３５が挿通可能になっている。このようにして取付部３１３の右端部側及び左端部側間にラッチ部材３２が摺動可能に取り付けられ、右端部側でラッチ部材３２とストッパ３１５との間にばね部材３３が介装され、左端部側の上下の面間に解除部材３４及び庫内非常時解錠装置５が軸５３を介して取り付けられる。なお、これら各部材３２〜３５の取り付け方については各部材３２〜３５毎に後述する。
【００１６】
ラッチ部材３２は先端の係止部３２１と基端側の一対の摺動部３２２、３２２とからなり、各摺動部３２２、３２２の基端部に解除部材３４に係合可能な係合部３２３を有する。この場合、係止部３２１は爪形状に形成され、各摺動部３２２、３２２は係止部３２１の上下の面から平行に延びる一対の細長い板状に形成され、特に一方の側部の基端側が取付部３１３のストッパ３１７に係合可能に段差形状になっている。また、係合部３２３は係合ピンで、上下の各摺動部材３２２、３２２の基端部間に固着される。このようにしてラッチ部材３２は固定ベース３１の取付部３１３の左右両端部間に摺動可能に取り付けられる。
【００１７】
ばね部材３３は圧縮コイルスプリングが採用される（以下、ばね部材３３を圧縮コイルスプリング３３という。）。この圧縮コイルスプリング３３は固定ベース３１の取付部３１３に取り付けられたラッチ部材３２の各摺動部３２２、３２２間に配置され、ラッチ部材３２の係止部３２１と固定ベース３１の取付部３１３のストッパ３１５との間に介装される。このようにしてラッチ部材３２を固定ベース３１の左端部から弾性的に突出させ、受座２に係合可能な位置に押圧付勢する。なお、このラッチ部材３２の突出状態はラッチ部材３２の基端側の段差形状と取付部３１３のストッパ３１７との係合により保持される。
【００１８】
解除部材３４はラッチ部材３２の係合ピン３２３に係止可能な解除レバーで（以下、解除部材３４を解除レバー３４という。）、一方の側部、この場合、前部側の側部は固定ベース３１の固定部３１１の左端部側内面で穴３１８のある位置に当接可能な平面状に形成され、他方の側部、この場合、後部側の側部は前部側の側部が固定部３１１の内面に当接された状態で受座２に係合可能な位置に突出するラッチ部材３２の係合ピン３２３に当接又は近接し、圧縮コイルスプリング３３によるラッチ部材３２の付勢方向とは反対方向の回動によりラッチ部材３２の係合ピン３２３に係合してラッチ部材３２を固定ベース３１側に引き込み可能なフック形状に形成される。また、この解除レバー３４は庫内非常時解錠装置５に一体に形成される。この場合、庫内非常時解錠装置５はレバー式のハンドルで（以下、庫内非常時解錠装置５を庫内ハンドル５という。）、解除レバー３４に連続し、解除レバー３４の前部側の側部が固定部３１１の内面に当接された状態で、庫内側へ斜めに延び、その終端に固定部３１１と平行な平面形状の押操作面５１が形成される。また、この庫内ハンドル５は、固定ベース３１の固定部３１１側でこのハンドル５の枢支点に近接する位置に外側に突出するストッパ５２が併せて形成される。この解除レバー３４と一体の庫内ハンドル５は、解除レバー３４が固定ベース３１の取付部３１３の上下の各面間で前部側の側部が固定部３１１の内面に当接された状態で後部側の側部が受座２に係合可能な位置のラッチ部材３２の係合ピン３２３に当接又は近接可能に配置され、解除レバー３４と庫内ハンドル５との間に設定された所定の回動中心が取付部３１３の上下の各面に軸５３を介して取り付けられる。このようにして庫内ハンドル５は扉Ｄの背面側に固定ベース３１を介して扉Ｄの背面に対して直角な面内において回動可能に、かつ扉Ｄの背面に向けて押す方向の回動操作により解除レバー３４を圧縮コイルスプリング３３による付勢方向とは反対方向に回動可能に、すなわち解除レバー３４をラッチ部材３２に係合させて、このラッチ部材３２を受座２に係合する位置から解除する位置へ移動案内可能に取り付けられる。そして、この庫内ハンドル５の回動操作はラッチ部材３２を受座２から解除する位置で、庫内ハンドル５のストッパ５２が固定ベース３１の固定部３１１の左端部に衝接して、その回動が規制される。
【００１９】
押棒３５は円筒状の棒で、一方の端部に先端が半球状の被押圧部材３５１が取り付けられる。この押棒３５は被押圧部材３５１の周囲にばね３５２を装着されて後述する扉Ｄの正面側の取付ベース７に挿着されて、この取付ベース７が扉Ｄの正面に取り付けられるとともに扉Ｄの正面側と背面側との間に形成された貫通穴６に挿通され、この押棒３５の先端が扉Ｄの背面側、既述の固定ベース３１の穴３１８から突出可能に、基端の被押圧部材３５１が扉Ｄの正面側、後述する取付ベース７の穴７３から弾性的に突出可能に構成される。
【００２０】
このようにラッチ部材３２、圧縮コイルスプリング３３、解除レバー３４と一体の庫内ハンドル５、押棒３５が固定ベース３１上に組み立てられる。この固定ベース３１は扉Ｄの背面側にラッチ機構３が庫体Ｆの受座２に係合可能に取り付けられる。この場合、この固定ベース３１を取り付ける扉Ｄの所定の位置に固定ベース３１の穴３１８に対応して押棒３５を挿通可能な貫通穴６が形成される。なお、この貫通穴６は塩化ビニル樹脂その他のプラスチックを主原料とするチューブ６０で被覆され、押棒３５の周囲にはこのチューブ６０の内周面を摺動可能なゴム材からなるパッキン６１が取り付けられる。このパッキン６１は図示のとおり、全体が円盤状で、外周がヒレ状に形成されることが好ましい。なお、押棒３５は、既述のとおり、後述する取付ベース７に挿着されて、貫通穴６に挿通され、押棒３５の先端が固定ベース３１の穴３１８内に解除レバー３４の前部側の側面の先端に当接可能に配置される。
【００２１】
庫外操作ハンドル４（以下、この庫外操作ハンドル４を庫外ハンドル４という。）は取付ベース７を介して扉Ｄの正面にラッチ機構３に対応して取り付けられる。この場合、取付ベース７は固定部７１と庫外ハンドル４の取付部７４とを有する。固定部７１は略矩形の平面形状に形成され、上下の左右両端にそれぞれねじ挿通穴７２が穿たれ、上下方向中間で一方の端部側、この場合、（扉Ｄの正面側から見て）右端部側で、固定ベース３１の穴３１８に対応する所定の位置に、押棒３５が挿通可能に押棒３５の径よりも少し大きい穴７３が穿たれる。取付部７４は固定部７１の片側一方の面で上下方向中間部に水平方向（この場合、左右方向）に延びる略箱形形状に形成され、その一方の端面、この場合、右端面から正面の他端部（左端部）の手前まで庫外ハンドル４の解除レバー４１が挿通可能な開口７５が形成される。庫外ハンドル４はレバー式のハンドルで、先端の解除レバー４１と基端側のグリップ４２とからなり、この庫外ハンドル４の場合、解除レバー４１とグリップ４２が概ね直状に形成され、解除レバー４１の扉Ｄに対向する面は押棒３５の被押圧部材３５１に当接可能に平面状に、解除レバー４１とグリップ４２との間で扉Ｄに対向する面が取付ベース７に当接可能に突状に形成される。庫外ハンドル４は既述の押棒３５とともに取付ベース７に取り付けられる。この場合、押棒３５は基端の被押圧部材３５１の周囲にばね３５２が装着されて固定部７１の穴７３に外側から挿着され、押棒３５の被押圧部材３５１が固定部７１の穴７３から外側に弾性的に突出される。庫外ハンドル４は解除レバー４１が取付ベース７の取付部７４の開口７５から挿通され、この取付部７４の上下の各面間で、解除レバー４１が固定部７１と平行な倒伏位置と解除レバー４１が押棒３５の被押圧部材３５１の押圧方向に向けて回動する引き起こし位置との間で回動可能に、解除レバー４１とグリップ４２との間に設定された所定の回動中心が取付部７４の上下の各面に軸４３を介して取り付けられる。このようにして庫外ハンドル４は扉Ｄの正面側に取付ベース７を介して扉Ｄの正面に対して直角な面内において回動可能に、かつ扉Ｄの正面側に対して引く方向の回動操作により押棒３５を解除レバー３４に向けて押進可能に、すなわち解除レバー３４を押圧駆動し、この解除レバー３４をラッチ部材３２に係合させてラッチ部材３２を受座２に係合する位置から解除する位置へ移動案内可能に取り付けられる。また、この取付ベース７には、この取付部７４の正面の他端部（左端部）に円形の穴７６が形成され、この穴７６に錠前ユニット８が装着される。錠前ユニット８は、所定のキーで回転可能なロータ８１と、ロータ８１の内側端にロータ８１の軸方向に対して直角に固定されてロータ８１と一体に回転可能なロータカム８２とを有し、所定のキーによりロータ８１を所定の方向に回動させることにより、ロータカム８３が取付ベース７内で所定の倒伏位置の庫外ハンドル４の引き起こし方向の回動を規制するロック位置に突出して、庫外ハンドル４をロック（施錠）し、ロータ８１を反対方向に回転させると、ロータカム８２が取付ベース７内で庫外ハンドル４の回動を許容するアンロック位置に反転されて、庫外ハンドル４のロックを解除（解錠）する。
【００２２】
このように押棒３５、庫外ハンドル４、錠前ユニット８が取付ベース７上に組み立てられる。この取付ベース７は扉Ｄの正面に、押棒３５が扉Ｄの正面側と背面側との間の貫通穴６に背面側のラッチ機構３の解除レバー３４の回動端側を押圧可能に挿通されて、ラッチ機構３に対応して設置され、固定部７１の各ねじ挿通穴７２からねじが締め込まれて取り付けられる。このようにして庫外ハンドル４は扉Ｄの正面側に取付ベース７を介して扉Ｄの正面側に対して引く方向の回動操作により押棒３５を解除レバー３４に向けて押進可能に取り付けられ、この庫外ハンドル４の回動操作により、押棒３５を解除レバー３４に向けて押進駆動し、解除レバー３４を回動してラッチ部材３２に係合させラッチ部材３２を受座２に係合する位置から解除する位置へ移動案内するようになっている。
【００２３】
また、このハンドル装置１では、庫外ハンドル４の取付ベース７は表面にカバー９が被着される。この場合、カバー９は取付ベース７の上から被着可能に取付ベース７の表面形状に沿う形状に形成され、取付ベース７の開口７５と穴７６に対応する開口９１と穴９２が形成される。そして、カバー９は取付ベース７に被せられて、取付ベース７に庫外ハンドル４に隠蔽される部位で固定される。この場合、取付ベース７の固定部７１の周囲には複数の係止溝と特に開口７５に隣接する位置にねじ穴７７が形成され、この取付ベース７の係止溝とねじ穴７７に対応してカバー９の周囲に係止突起とねじ挿通穴９３が形成されて、カバー９が取付ベース７に被せられ、カバー９の各係止突起が取付ベース７の各係止溝に係合されるとともに、ねじＳがカバー９のねじ挿通穴９３から取付ベース７のねじ穴７７に締結されて固定される。
【００２４】
さらに、このハンドル装置１では、カバー９及び取付ベース７と庫外ハンドル４が南京錠でロック可能になっている。この場合、カバー９と取付ベース７と取付ベース７に対して倒伏位置の庫外ハンドル４との間に相互に連通して、南京錠のロック棒が挿通可能なロック穴９４、７８、４４を具備し、カバー９と取付ベース７と取付ベース７に対して倒伏位置の庫外ハンドル４との間に南京錠（のロック棒）を通して、ロック可能になっている。
【００２５】
このようにしてハンドル装置１は、扉Ｄの背面側にラッチ機構３が固着され、庫体Ｆに固着される受座２に係合されて、扉Ｄが錠止され、扉Ｄの正面側に押棒３５を介してラッチ機構３に作動連結されたレバー式の庫外ハンドル４と扉Ｄの背面側にラッチ機構３に直結されたレバー式の庫内ハンドル５とにより、扉Ｄの庫外及び庫内で扉Ｄの錠止を解除するようになっている。通常は、庫外ハンドル４で扉Ｄの錠止を解除する。この場合、庫外ハンドル４を扉Ｄの正面側に対して引く方向に回動操作することにより、庫外ハンドル４の解除レバー４１が押棒３５の被押圧部材３５１を押し、押棒３５を解除レバー３４に向けて押進駆動する。この押棒３５の押圧により解除レバー３４が回動し、この解除レバー３４がラッチ部材３２の係合ピン３２３に係合して、ラッチ部材３２を受座２に係合する位置から解除する位置へ移動案内する。このようにしてラッチ機構３と受座２との係合を解除して、扉Ｄと庫体Ｆの錠止を解除する。また、作業員が庫内に閉じ込められた場合は、庫内で庫内ハンドル５により扉Ｄの錠止を解除する。この場合、庫内ハンドル５の押操作面５１を押圧してこのハンドル５を押す方向に回動操作することにより、この庫内ハンドル５と一体に解除レバー３４を回動し、この解除レバー３４がラッチ部材３２に係合して、ラッチ部材３２を受座２に係合する位置から解除する位置へ移動案内する。このようにしてラッチ機構３と受座２との係合を解除して、扉Ｄと庫体Ｆの錠止を解除する。
【００２６】
以上説明したように、このハンドル装置１によれば、通常、レバー式の庫外ハンドル４を引く方向に回動操作することにより押棒３５を押して解除レバー３４を直接回動し、この解除レバー３４をラッチ部材３２に係合させてこのラッチ部材３２を受座２から解除する位置に移動するので、ラッチ機構３に複雑な部品形状や構造を採ることなしに、ラッチ機構３と受座２との係合を確実に解除することができる。また、非常時は、レバー式の庫内ハンドル５を押す方向に回動操作することにより解除レバー３４を直接駆動するので、ラッチ機構３に複雑な部品形状や構造を採ることなしに、ラッチ機構３と受座２との係合を確実に解除することができる。そして、ラッチ機構３を少ない部品点数の簡易な構造で構成できるので、製作コストを大幅に低減することができる。さらに、このハンドル装置１の場合、庫内非常時解錠装置５がレバー式のハンドルで、扉Ｄに向けて押す方向の回動操作を採用しているので、ハンドル操作が容易で、庫内に閉じ込められた場合の不安な状況下でも、ラッチ機構３を簡易な操作で確実に解除することができる。
【００２７】
また、このハンドル装置１の場合、解除レバー３４を庫内ハンドル５と一体に形成することにより、ラッチ機構３の部品点数をさらに少なくして、ラッチ機構３の構造をさらに簡易にすることができる。また、非常時は、庫内でレバー式の庫内ハンドル５を押す方向に回動操作することにより、解除レバー３４がこのハンドル５と一体に回動して、ラッチ部材３２を受座２から解除する位置に移動するので、ラッチ機構３を簡易な操作でより確実に解除することができる。さらに、このハンドル装置１の場合、押棒３５を挿通する扉Ｄの貫通穴６を塩ビチューブ６０で被覆し、押棒３５の周囲に当該チューブ６０の内周面を摺動可能なゴム製のパッキン６１を取り付けることにより、この貫通穴６を押棒３５の動作を妨げることなしに気密に塞ぐことができる。これにより、庫外と庫内との間の空気の流れを遮断して、庫内の低温を維持することができ、また、貫通穴６に結露の発生を防止することができる。またさらに、このハンドル装置１の場合、取付ベース７に庫外ハンドル４の回動をロックする錠前ユニット８を備えたことで、扉Ｄを閉めた時の庫外ハンドル４の回動をロックして、扉Ｄの閉状態を確実に保持することができる。またさらに、このハンドル装置１の場合、取付ベース７の表面にカバー９を被着し、取付ベース７とカバー９を庫外ハンドル５に隠蔽される部位で固定したことで、取付ベース７の外部から取付ねじなどの固着部品を見えないようにして、見栄え及び掃除の利便性の向上を図ることができる。またさらに、このハンドル装置１の場合、カバー９及び取付ベース７と庫外ハンドル４との間に相互に連通して、南京錠のロック棒が挿通可能なロック穴９４、７８、４４を備えたことで、これらのロック穴９４、７８、４４に南京錠のロック棒を通し、この南京錠でカバー９及び取付ベース７と庫外ハンドル４とを施錠することができ、既述の錠前ユニット８に代えて、又はこの錠前ユニット８とともに、扉Ｄの閉状態を確実に保持することができる。またさらに、このハンドル装置１の場合、庫内ハンドル５にラッチ部材３２を受座２から解除する位置でハンドル５の回転を規制するストッパ５２を備えたことで、庫内ハンドル５を所定の回動位置で確実に停止させることができ、無駄のない操作性で、扉Ｄの錠止を容易に解除することができる。またさらに、このハンドル装置１の場合、受座２を固定ベース２Ｂを介してねじにより固着する形式で、固定ベース２Ｂにねじ挿通穴２２と水平断面略三角形の凹凸形状部２３とを設け、受座２に水平方向に長いねじ挿通穴２０と水平断面略三角形の凹凸形状部とを設けることにより、固定ベース２Ｂの凹凸形状部２３と受座２の凹凸形状部とを適宜の位置で噛合させ、固定ベース２Ｂのねじ挿通穴２２に受座２の長いねじ挿通穴２０を合せてねじを締め込むことで、固定ベース２Ｂに受座２を水平方向の位置を調整し、位置決めして固定することができる。これにより、受座２を庫体Ｆの適正な位置に固着することができる。
【図面の簡単な説明】
【００２８】
【図１】本発明の一実施の形態における扉用ロックハンドル装置の底面断面図
【図２】同ハンドル装置の特に受け座の分解斜視図
【図３】同ハンドル装置の特にラッチ機構、庫内非常時解錠装置、及び庫外操作ハンドルの一部分解斜視図
【符号の説明】
【００２９】
１  扉用ロックハンドル装置
Ｆ  庫体
２  受座
２Ｂ  固定ベース
２０  ねじ挿通穴
２２  ねじ挿通穴
２３  凹凸形状部
Ｄ  扉
３  ラッチ機構
３１  固定ベース
３１１  固定部
３１２  ねじ挿通穴
３１３  取付部
３１４  ガイド
３１５  ストッパ
３１６  作動連結部
３１７  段差部（ストッパ）
３１８  穴
３２  ラッチ部材
３２１  係止部
３２２  摺動部
３２３  係合部（係合ピン）
３３  ばね部材（圧縮コイルスプリング）
３４  解除部材（解除レバー）
３５  押棒
３５１  被押圧部材
３５２  ばね
４  庫外操作ハンドル（庫外ハンドル）
４１  解除レバー
４２  グリップ
４３  軸
４４  ロック穴
５  庫内非常時解錠装置（庫内ハンドル）
５１  押操作面
５２  ストッパ
５３  軸
６  貫通穴
６０  塩ビチューブ（管体）
６１  パッキン
７  取付ベース
７１  固定部
７２  ねじ挿通穴
７３  穴
７４  取付部
７５  開口
７６  穴
７７  ねじ穴
７８  ロック穴
８  錠前ユニット
８１  ロータ
８２  ロータカム
９  カバー
９１  開口
９２  穴
９３  ねじ挿通穴
Ｓ  ねじ
９４  ロック穴  
【図１】
0004464443.tif 000002
【図２】
0004464443.tif 000003
【図３】
0004464443.tif 000004